(57)【要約】      （修正有）【課題】信頼性の高い太陽電池ユニット及び太陽電池モジュールを提供する。【解決手段】複数の太陽電池セル２１を直列に接続してなる直列回路構成部２０と、直列回路構成部２０および外部回路にそれぞれ接続されたバイパスダイオード３０と、直列回路構成部２０の複数の太陽電池セル２１の受光面に対して入射光を到達させる状態または遮光する状態に制御可能な入射光制御部材４０と、バイパスダイオード３０を流れる電流値を検出する検出手段５０と、検出手段５０によって検出した電流値に応じて、入射光制御部材４０を太陽電池セル２１の受光面に対して入射光を遮光する状態にする制御手段６０とを有する。【選択図】図１
2013051312.tif 000002
【特許請求の範囲】
【請求項１】
複数の太陽電池セルを直列に接続してなる直列回路構成部と、
該直列回路構成部および外部回路にそれぞれ接続されたバイパスダイオードと、
前記直列回路構成部の前記複数の太陽電池セルの受光面に対して入射光を到達させる状態または遮光する状態に制御可能な入射光制御部材と、
前記バイパスダイオードを流れる電流値を検出する検出手段と、
該検出手段によって検出した電流値に応じて、前記入射光制御部材を前記太陽電池セルの受光面に対して入射光を遮光する状態にする制御手段と
を有する太陽電池ユニット。
【請求項２】
前記入射光制御部材は、前記複数の太陽電池セルが配置されていない領域から引き出して前記複数の太陽電池セルの前記受光面を覆うことができる引出し遮光部を有する請求項１記載の太陽電池ユニット。
【請求項３】
前記引出し遮光部は、軟質プラスチックからなる請求項２記載の太陽電池ユニット。
【請求項４】
前記入射光制御部材は、前記複数の太陽電池セルのそれぞれの受光面を覆う、電圧の印加によって透光度を変化させることのできる液晶遮光部を有する請求項１記載の太陽電池ユニット。
【請求項５】
請求項１乃至４のいずれかに記載の太陽電池ユニットを複数個配列してなる太陽電池モジュール。
【請求項６】
請求項２または３に記載の太陽電池ユニットを複数個配列してなる太陽電池モジュールであって、
外周部に前記引出し遮光部を収容する収容部を有する太陽電池モジュール。
【発明の詳細な説明】
【技術分野】
【０００１】
本発明は、複数の太陽電池セルを接続してなる太陽電池ユニット及び太陽電池モジュールに関する。
【背景技術】
【０００２】
太陽電池発電装置は、通常出力電圧を確保するために複数の太陽電池セルを直列に接続する。このように複数の太陽電池セルを直列に接続して動作させる場合に、一部の太陽電池セルでクラック等の不良または局部的な影（セル表面への不透明物体の付着等）によって短絡電流のミスマッチなどが発生した場合にそのセルが電気的負荷として作用する恐れがある。このため、他の正常に発電しているセルの発生電圧が電気的負荷となったセルに集中し、直列接続したモジュールとしての発電が行なわれなくなる恐れがある。さらに、電気的負荷となったセルに、他の正常に発電しているセルからの総発生電圧が逆方向電圧として印加されることとなり、セルの破壊を招く恐れがある。
【０００３】
そこで、特許文献１では、モジュールとしての発電やセルの破壊抑制を考慮して、複数の太陽電池セルを直列接続してなる太陽電池ユニットに並列で、セルの半導体結合とは逆の方向にバイパスダイオードを接続している。そして、このような太陽電池ユニットを複数個配列し太陽電池モジュールをなしている。このような構成により、電気的負荷となったセルに電流を流すことなく、電流をバイパスダイオードに流し、モジュール全体での出力低下を抑制することができる。
【先行技術文献】
【特許文献】
【０００４】
【特許文献１】特開２００１−０６８６９６号公報
【発明の概要】
【発明が解決しようとする課題】
【０００５】
しかし、特許文献１に記載された技術では、太陽電池モジュール全体の電流の流れにおいて、電気的負荷となったセルを含む太陽電池ユニットは、他の太陽電池ユニットからバイパスダイオードにより切り離した後も、切り離された太陽電池ユニット内の正常なセルは発電を続けるため、電気的負荷となったセルに電圧が集中し異常発熱したり、故障したりする恐れがあった。その結果、該当する太陽電池ユニット全体を交換する必要が生じる恐れがあった。
【０００６】
本発明は、上述の事情のもとに案出されたものであり、その目的は、電気的負荷となる太陽電池セルが存在しても故障の発生を抑制した、信頼性の高い太陽電池ユニット及び太陽電池モジュールを提供することである。
【課題を解決するための手段】
【０００７】
本発明の太陽電池ユニットは、複数の太陽電池セルを直列に接続してなる直列回路構成部と、該直列回路構成部および外部回路にそれぞれ接続されたバイパスダイオードと、前記直列回路構成部の前記太陽電池セルの受光面側に設けられた、該受光面に対して入射光を到達させる状態または遮光する状態に制御可能な入射光制御部材と、前記バイパスダイオードを流れる電流値を検出する検出手段と、該検出手段によって検出した電流値に応じて、前記入射光制御部材を前記太陽電池セルの受光面に対して入射光を遮光する状態にする制御手段とを有する。
【０００８】
また、本発明の太陽電池モジュールは、上述の太陽電池ユニットを複数個配列してなる。
【発明の効果】
【０００９】
本発明によれば、複数の太陽電池セルの一部が電気的負荷となった場合に、その太陽電池セルを含む直列回路構成部の太陽電池セルの受光面を遮光する状態にすることができるので、電気的負荷となった太陽電池セルへの更なる電圧集中を防ぎ、太陽電池セルの故障を抑制できる、信頼性の高い太陽電池ユニット及び太陽電池モジュールを提供することができる。
【図面の簡単な説明】
【００１０】
【図１】本発明の太陽電池ユニットの実施形態の一例を示す概略構成図である。
【図２】（ａ），（ｂ）はそれぞれ、本発明の実施形態の太陽電池ユニットの上面図であり、（ｃ）は（ｂ）のＩＩ−ＩＩ線における断面図である。
【図３】（ａ），（ｂ）はそれぞれ、本発明の実施形態の太陽電池ユニットの上面図であり、（ｃ）は（ｂ）のＩＩＩ−ＩＩＩ線における断面図である。
【図４】本発明の実施形態の他の例を示す断面図である。
【図５】本発明の太陽電池モジュールの概略構成図である。
【発明を実施するための形態】
【００１１】
本発明の太陽電池モジュールの実施形態の一例について、図面を参照しつつ、説明する。
【００１２】
図１は、本発明の一実施形態である太陽電池ユニット１０を示す概略構成図である。図１において、太陽電池ユニット１０は、直列回路構成部２０と、バイパスダイオード３０と入射光制御部材４０と、検出手段５０と、制御手段６０と、を有する。
【００１３】
直列回路構成部２０は、複数の太陽電池セル２１が直列に接続されてなる。この例では、８個の太陽電池セル２１ａ〜２１ｈが順に直列に接続されている。
【００１４】
入射光制御部材４０は、直列回路構成部２０の太陽電池セル２１ａ〜２１ｈの受光面に対して入射光を到達させる状態（到達状態）と遮光する状態（遮光状態）とに制御可能なものである。入射光制御部材４０の詳しい構成については後述する。
【００１５】
バイパスダイオード３０は、直列に接続された太陽電池セル２１ａ〜２１ｈに対して並列に接続されている。そして、このバイパスダイオード３０は、外部回路に接続されている。外部回路は、直列回路構成部２０における発電を処理するもので、例えば、パワーコンディショナーを構成する回路を例示できる。
【００１６】
検出手段５０は、バイパスダイオード３０に接続され、バイパスダイオード３０を流れる電流値を検出する。
【００１７】
制御手段６０は、検出手段５０において検出した電流値に応じて入射光制御部材４０を遮光状態となるように制御する。入射光制御部材４０を到達状態から遮光状態へと変える基準の電流値は、例えば、バイパスダイオード３０の開放電圧に応じた値とすればよい。また、電流値の時間的変化を測定し、予測値から一定の値乖離した値としてもよい。
【００１８】
太陽電池ユニット１０をこのような構成とすることにより、直列回路構成部２０を構成する太陽電池セル２１ａ〜２１ｈの一部に不具合が生じたときに、太陽電池セル２１ａ〜２１ｈの受光面の全てを入射光制御部材４０により遮光状態とすることができる。例えば
、太陽電池セル２１ｆの受光面に木の葉等の不透明物質が付着した場合に、太陽電池セル２１ａ〜２１ｈの全てを遮光状態とすることができる。そして、バイパスダイオード３０に電流を迂回させた後における、正常な太陽電池セル２１ａ〜２１ｅ，２１ｇ，２１ｈの発電を抑制することができる。これにより、電流負荷部となった太陽電池セル２１ｆに他の太陽電池セル２１ａ〜２１ｅ，２１ｇ，２１ｈの発電による電圧が集中することを防ぎ、太陽電池セル２１Ｆの異常発熱，故障を抑制することができる。太陽電池セル２１ｆの異常発熱，故障が発生すると、太陽電池ユニット１０全体を交換する必要があるが、入射光制御部材４０によりこれを防ぐことができる。
【００１９】
次に図２を用いて、入射光制御部材４０の詳細な構成について説明する。図２に示す太陽電池ユニット１０Ａは、入射光制御部材４０Ａを有する。図２（ａ）は入射光制御部材４０Ａが到達状態にある太陽電池ユニットの上面図であり、図２（ｂ）は入射光制御部材４０Ａが遮光状態にある太陽電池ユニットの上面図であり、図２（ｃ）は図２（ｂ）のＩＩ−ＩＩ線における断面図である。なお、図２において、電気回路に関連する一部の構成（バイパスダイオード３０，検出手段５０，制御手段６０，外部回路，太陽電池セル２１同士の接続線）の図示を省略している。
【００２０】
直列回路構成部２０Ａは、基板２２と、基板２２の上面に直列接続して配置された、太陽電池セル２１ａ〜２１ｈと、太陽電池セル２１ａ〜２１ｈ上（受光面側）に配置された透光性を有する強化ガラス２４と、基板２２と強化ガラス２４との間に充填された透光性を有する充填材２３と、を有する。充填材２３は、例えばエチレンビニルアセテート共重合体（ＥＶＡ）などを主成分とする樹脂材料を用いることができる。基板２２及び強化ガラス２４は平面視で長方形状となっている。即ち、直列回路構成部２０Ａは、平面視で長方形状となっている。なお、便宜上、この長方形状を構成する短辺側を第１方向，長辺側を第２方向とすることがある。
【００２１】
入射光制御部材４０Ａは、太陽電池セル２１ａ〜２１ｈの配置されていない領域から引き出して、太陽電池セル２１ａ〜２１ｈの受光面を覆うことのできる引出し遮光部４１を有する。そして、引出し遮光部４１の一端４２は、太陽電池セル２１ａ〜２１ｈの配置されていない領域において固定されており、他端４３は、太陽電池セル２１ａ〜２１ｈの受光面側を移動可能な遊端部となっている。具体的には、引出し遮光部４１の一端４２は、直列構成部２０Ａの太陽電池セル２１ａ〜２１ｈの配置されていない領域に配置されたローラー４４に固定されている。言い換えると、引出し遮光部４１の一端４２は、直列構成部２０Ａの外周部に配置されたローラー４４に保持されている。この例では、平面視で直列構成部２０Ａの輪郭を形成する一対の短辺及び一対の長辺のうち短辺の一方側にローラー４４が配置されている。
【００２２】
そして、入射光制御部材４０Ａは、到達状態においては、図２（ａ）に示すように、ローラー４４に引出し遮光部４１が巻き取られた状態となっている。言い換えると、引出し遮光部４１の他端４３が、平面視で、太陽電池セル２１ａ〜２１ｈの配置された領域よりもローラー４４側に位置している。遮光状態においては、図２（ｂ）に示すように、ローラー４４から引出し遮光部４１を引き出し、他端４３が直列構成部２０Ａのローラー４４の配置された側の一方の短辺に対向する他方の短辺側に到達した状態となっている。
【００２３】
引出し遮光部４１は、太陽電池セル２１ａ〜２１ｈの配置された領域を覆う大きさを有する。そして、太陽電池セル２１ａ〜２１ｈの受光面に到達する入射光を遮光する材料からなる。例えば透光性を有さないシート状の部材を用いることができる。本実施形態においては、到達状態においてはローラー４４に巻き取って収納しているため、変形自在な布製，ビニール製のものを用いる。ここで、ビニールとは軟質プラスチック全般を指すものとする。また、互いに偏光度が９０度異なる偏光フィルムを重ねたものとしてもよい。
【００２４】
この例では、強化ガラス２４の上面には、太陽電池セル２１ａ〜２１ｈの配置された領域の外側に一対の溝２４ａが形成されている。言い換えると、引出し遮光部４１が引き出される方向、すなわち、平面視で、直列構成部２０Ａを構成する長辺と平行な一対の溝２４ａを有する。強化ガラス２４は厚み方向において表面側に引張応力のかかる層を有する。一般的にこの層の厚みは、強化ガラス２４全体の厚みの１／６程度と推定される。溝２４ａは、この引張応力がかかる層の厚み以内の深さを有する。溝２４ａの深さをこのようにすることで、強化ガラス２４にクラックを発生させることを抑制することができる。溝２４ａの厚み方向における断面形状は、後述の車輪４６の形状に対応したものとする。
【００２５】
そして、この例では、引出し遮光部４１の他端４３には、支柱体４５と車輪４６とが接続されている。支柱体４５は、変形自在の引出し遮光部４１を第１方向に広げて支持するためのものであり、第１方向において、引出し遮光部４１の他端４３全領域に連続して存在する。具体的には、支持体４５は、引出し遮光部４１の第１方向における長さと同等以上の長さを有する。このような支持体４５は、引出し遮光部４１を第１方向において広げて支持できる強度を有するものであれば特に限定はされないが、重りとして働くように、強化ガラス２４に影響を与えない範囲の重量物であることが好ましい。太陽電池ユニット１０Ａは、一般に地面に対して斜度を有するように設置されることが多い。このため、ローラー４４が上部に位置するように設置することで、到達状態から遮光状態へと切り替える際に、支持体４５が重りとして働くことにより動力を必要とせずに自重により引出し遮光部４１の他端４３を引出し、遮光状態とすることができる。
【００２６】
さらに、車輪４６を、溝２４aに対応するように配置することで、引出し遮光部４１を
第１方向において位置ずれを生じることなく、かつ、スムーズに引き出すことができる。言い換えると、太陽電池セル２１ａ〜２１ｈの配置された領域全面を確実に被覆することができる。さらに、車輪４６により、引出し遮光部４１を太陽電池セル２１ａ〜２１ｈの受光面から離間して配置することができる。このため、受光面を傷つけることなく遮光状態を実現することができる。
【００２７】
このような入射光制御部材４０Ａは、到達状態においては、不図示のストッパーにより引出し遮光部４１の他端４３を、平面視で太陽電池セル２１ａ〜２１ｈの配置された領域よりもローラー４４側にて保持している。そして、検出手段５０で検出したバイパスダイオード３０の電流値に応じて制御手段６０がストッパーを解除して遮光状態とする。
【００２８】
ストッパーは、例えば、ローラー４４の近傍またはローラー４４自体に設けた、引出し遮光部４１の他端４３の変位を抑制するような支持部また突起部とし、制御手段６０の指令より支持部または突起部を変位方向（第２方向）から取り除くようにしてもよい。また、支持体４５を磁性体で構成し、ストッパーとして磁場を用いてもよい。例えば、支持体４５，ストッパーを磁石で構成してもよい。
【００２９】
（変形例１：入射光制御部材）
次に、図２に示す太陽電池ユニット１０Ａの変形例の太陽電池ユニット１０Ｂについて、図３を用いて説明する。太陽電池ユニット１０Ｂは、入射光制御部材４０Ｂを有する。図３（ａ）は入射光制御部材４０Ｂが到達状態にある太陽電池ユニットの上面図であり、図３（ｂ）は入射光制御部材４０Ｂが遮光状態にある太陽電池ユニットの上面図であり、図３（ｃ）は図３（ｂ）のＩＩＩ−ＩＩＩ線における断面図であり、図４（ｃ）は図３（ａ）のＩＩＩａ−ＩＩＩａ線における断面図である。なお、図３において、一部の構成の図示を省略する。また、図２と同様の箇所には同一の符号を付し、重複する説明を省略する。
【００３０】
入射光制御部材４０Ｂは、第１ローラー部４０１，第２ローラー部４０２，第１滑車部４０３，第２滑車部４０４，ワイヤー４０５，引出し遮光部４０６を有する。第１ローラー部４０１，第２ローラー部４０２は直列構成部２０Ｂの裏面側（受光面と反対側の面）に配置され、２本のワイヤー４０５ａ，４０５ｂを、平面視で太陽電池セル２１ａ〜２１ｈの配置された領域の外側に位置するように第１方向に離間させると共に、第２方向に張って保持する。第１滑車部４０３，第２滑車部４０４は、直列構成部２０Ｂの受光面側に位置する。そして、２本のワイヤー４０５ａ，４０５ｂは、第１ローラー部４０１と第２ローラー部４０２との間を、第１滑車部４０３，第２滑車部４０４を介して保持されている。２本のワイヤー４０５ａ，４０５ｂは、第１滑車部４０３，第２滑車部４０４により、直列構成部２０Ｂの受光面と離間して保持されている。引出し遮光部４０６は、引出し遮光部４１と同様の材料からなり、２本のワイヤー４０５ａ，４０５ｂの一部に取着されている。この例では、ワイヤー４０５ａ，４０５ｂの一端に引出し遮光部４０６の一端を固定し、引出し遮光部４０６を広げて支持するように引出し遮光部４０６の他端をワイヤー４０５ａ，４０５ｂの途中に固定している。
【００３１】
そして、到達状態においては、図３（ａ）に示すように、ワイヤー４０５ａ，４０５ｂのうち、引出し遮光部４０６が取着されていない部分が受光面側に位置するように第１ローラー部４０１，第２ローラー部４０２におけるワイヤー４０５ａ，４０５ｂの巻き取り状態を調整している。遮光状態においては、図３（ｂ）に示すように、ワイヤー４０５ａ，４０５ｂのうち、引出し遮光部４０６が取着された部分が受光面側に位置するように第１ローラー部４０１，第２ローラー部４０２におけるワイヤー４０５ａ，４０５ｂの巻き取り状態を調整している。
【００３２】
このような入射光制御部材４０Ｂは、到達状態においては、引出し遮光部４０６の一端を、平面視で太陽電池セル２１ａ〜２１ｈの配置された領域よりも第１滑車４０３側にて保持している。そして、検出手段５０で検出したバイパスダイオード３０の電流値に応じて制御手段６０が第２ローラー部４０２を回転させる動力を駆動させ、ワイヤー４０５ａ，４０５ｂを第２ローラー部４０２で巻き取り、引出し遮光部４０６を引き出して遮光状態とする。
【００３３】
（変形例２：入射光制御部材）
次に、図２に示す太陽電池ユニット１０Ａの変形例の太陽電池ユニット１０Ｃについて、図４を用いて説明する。太陽電池ユニット１０Ｃは、入射光制御部材４０Ｃを有する。図４は太陽電池ユニット１０Ｃの断面図である。なお、図４において、一部の構成の図示を省略する。また、図２と同様の箇所には同一の符号を付し、重複する説明を省略する。
【００３４】
太陽電池ユニット１０Ｃは、直列構成部２０Ｃの上面に配置された入射光制御部材４０Ｃを有する。入射光制御部材４０Ｃは、厚み方向の上下面に偏光層４５１，４５２を有し、この偏光層４５１，４５２の間に液晶体４５３が配置された液晶遮光部４５０を有する。そして、この液晶遮光部４５０には、液晶に電界を印加するための不図示の配線が設けられている。
【００３５】
入射光制御部材４０Ｃをこのような構成とすることにより、到達状態には液晶体４５３に電界を印加して透光性を有するものとし、遮光状態においては、液晶体４５３にかける電界をなくし、透光性をなくす。このような液晶体４５３は、到達状態と遮光状態との切り替えを太陽電池セル２１ａ〜２１ｈで統一させれば、平面視で、太陽電池セル２１ａ〜２１ｈと重複する部分のみに配置してもよいし、太陽電池セル２１ａ〜２１ｈが配置された領域全体を覆うように配置してもよい。
【００３６】
次に、図５を用いて、本発明の太陽電池モジュールの一実施形態である太陽電池モジュ
ール１００について説明する。図５は、太陽電池モジュール１００の概略構成図である。
【００３７】
太陽電池モジュール１００は太陽電池ユニット１０を複数個（この例では３個）配列してなる。各太陽電池ユニット１０の太陽電池セル２１ａ〜２１ｈ同士が直列接続され、各々の太陽電池セル２１ａ〜２１ｈの直列回路毎にバイパスダイオード３０が並列接続されている。
【００３８】
このような構成により、各太陽電池ユニット１０を直列接続することにより、太陽電池モジュール１００トータルの発電電圧を高めることができる。また、いずれかの太陽電池セル２１において電気的負荷となる状態が発生したときに、そのセルを含む太陽電池ユニット１０においてバイパスダイオード３０側に電流を迂回させることで、他の太陽電池ユニット１０の発電に悪影響を与えずに発電を継続することができる。さらに、電気的負荷となったセルを含む太陽電池ユニット１０では、入射光制御部材４０により電気的負荷となったセルの破壊を防ぐことができる。
【００３９】
また、制御手段６０が、複数の太陽電池ユニット１０の各バイパスダイオード３０の電流値を比較して、到達状態と遮光状態とに切り替えるべき電流値を決定するものとすることにより、天候状態に起因する誤作動を減少させることができ、より信頼性の高いものとすることができる。
【００４０】
なお、入射光制御部材４０が引出し遮光部４１，４０６を有する場合には、到達状態時に引出し遮光部４１，４０６を収容する収容部を有することが望ましい。例えば引出し遮光部４１のローラー４４を、収容部とみなすことができる。このような収容部は、太陽電池モジュール１００の外周部に設けることが好ましい。言い換えると、この例では、平面視で、太陽電池ユニット１０の直列構成部２０の短辺側に配置することが好ましい。このような配置とすることにより、直列構成部２０同士を密に配置することができる。
【００４１】
なお、本発明の太陽電池ユニットおよび太陽電池モジュールは上述の実施形態に限定されるものではなく、発明の要旨から逸脱しない範囲内で種々の変更が可能である。
【００４２】
例えば、入射光制御部材は、太陽電池セル２１ａ〜２１ｈが配置される領域を覆うことのできる、移動可能のパネル状部材としてもよい。また、複数の細長い板状の部材から成る入射光制御部材としてもよく、この複数の細長い板状の部材を互いに間隔を開けて、太陽電池セル２１ａ〜２１ｈの受光面に対して垂直に立たせて配置した状態と、受光面に対して平行に寝かせて配置すると共に、複数の細長い板状の部材が互いに接するように配置される状態とに変化させることのできる、ブラインド状のものとしてもよい。
【００４３】
また、図２に示す例では、引出し遮光部材４１は、その他端４３に接続された車輪４６が、強化ガラス２４に設けられた溝部２４ａに導かれて移動することで引き出されていたが、溝部２４ａに代えて強化ガラス２４の上方に別体のレールを設けてもよい。このようなレールの端にローラー４４を配置してもよい。そして、レールを透光性を有する材料で構成し、かつその断面形状が、下に凸の円弧状の上辺と、下に凸で、且つ上辺よりも長い円弧状であり、かつ上辺と横方向の中心を合わせた下辺とを有するものとすることが好ましい。このような構成により、レールの上辺側に入射した入射光の光路を外側に変えることができる。レールは平面視で太陽電池セル２１ａ〜２１ｈの配置された領域よりも外側に位置しているので、到達状態において、太陽電池セル２１ａ〜２１ｈの配置された領域よりも外側に入射した入射光をレールにより太陽電池セル２１ａ〜２１ｈに導くことができる。なお、引出し遮光部はレールの上辺側を移動するため、遮光状態においては、太陽電池セル２１ａ〜２１ｈの配置された領域よりも外側に入射した入射光を太陽電池セル２１ａ〜２１ｈへ導くことはない。
【００４４】
また、図２，図３において、引出し遮光層４１，４０６の引出し方向は第２方向（長辺側）であったが、第１方向（短辺側）に引き出すものとしてもよい。
【００４５】
また、図３において、ワイヤー４０５ａ，４０５ｂは第１ローラー部４０１および第２ローラー部４０２を始点及び終点としているが、第１ローラー部４０１および第２ローラー部４０２間も連続させ、直列構成部２０Ｂを一周するようにしてもよい。
【００４６】
さらに、遮光状態から到達状態に変更させる手段をさらに設けてもよい。
【符号の説明】
【００４７】
１０・・・太陽電池モジュール
２０・・・太陽電池素子
３０・・・被覆層
４０・・・パネル体
４１・・・第１圧縮応力層
４２・・・引張応力層
４３・・・第２圧縮応力層
４３ａ・・・第１領域
４３ｂ・・・第２領域
４４・・・凹部
４５Ａ・・・突起部
５０・・・保護パネル
【図１】
2013051312.tif 000003
【図２】
2013051312.tif 000004
【図３】
2013051312.tif 000005
【図４】
2013051312.tif 000006
【図５】
2013051312.tif 000007